【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
患者について感知される少なくとも２つの生理学的測定値のセットを含む、電気的信号を受信するステップと；
前記少なくとも２つの生理学的測定値を、電子的フォーマットであるセンサ出力ガイドラインからの所定の生理学的測定値範囲と比較するステップと；
前記少なくとも２つの生理学的測定値が前記生理学的測定値範囲を満たさないと判断したことに応答して、データガイドラインに基づいて、前記患者の関心対象の疾患の確率及び重症度を決定するためにデータを取得する超音波撮像手順を特定するステップと；
前記特定した超音波撮像手順に基づいてスキャンから画像データ取得するステップと；
前記取得された画像データに基づいて前記関心対象の疾患の前記確率及び前記重症度を決定するステップと；
前記確率及び前記重症度と、医療施設のリソースと、イベントガイドラインとに基づいて、前記患者について推奨される一連のアクションを決定するステップと；
前記確率及び前記重症度と、前記推奨される一連のアクションをディスプレイに視覚的に提示させるステップと；
を備える、方法。
【請求項２】
前記推奨される一連のアクションと、前記イベントガイドラインとに基づいて、前記患者のための医療に関連する電子デバイスの動作を制御する制御信号を生成するステップと；
前記制御信号を用いて前記電子デバイスの動作を制御するステップと；
を更に備える、請求項１に記載の方法。
【請求項３】
臓器欠陥の画像アトラスを受け取るステップを更に備え、前記取得された画像データに基づいて前記関心対象の疾患の前記確率及び前記重症度を決定するステップは、前記画像データ及び前記臓器欠陥の画像アトラスに基づいて前記関心対象の疾患の前記確率及び前記重症度を決定することを含む、
請求項１に記載の方法。
【請求項４】
前記関心対象の疾患の前記重症度及び前記確率の正確性を改善しそうな他のデータを特定するステップと；
前記他のデータに基づいて前記確率及び前記重症度を更新して、前記関心対象の疾患の更新された確率及び更新された重症度を生成するステップと；
を更に備え、
前記推奨される一連のアクションは、前記更新された確率及び前記更新された重症度と、前記医療施設の前記リソースと、前記イベントガイドラインとに基づいて決定される、請求項１に記載の方法。
【請求項５】
前記関心対象の疾患は、新生児の先天性心疾患であり、
前記感知される少なくとも２つの生理学的測定値は、前記新生児の右足で感知される血中酸素濃度及び前記新生児の左手で感知される血中酸素濃度である、
請求項１乃至４のいずれか一項に記載の方法。
【請求項６】
前記少なくとも２つの生理学的測定値を比較するステップは、前記少なくとも２つの生理学的測定値の間の差を取って差分血中酸素濃度値を決定することと、該差分血中酸素濃度値を前記センサ出力ガイドラインからの測定値範囲と比較し、血液が肺の周囲を短絡していると判断することとを含む、
請求項５に記載の方法。
【請求項７】
コンピューティングシステムであって：
少なくとも１つのコンピュータプロセッサと；
トリアージモジュールがエンコードされるコンピュータ読取可能記憶媒体と；
を備え、
前記少なくとも１つのコンピュータプロセッサは、前記トリアージモジュールの命令を実行して：
患者について感知される少なくとも２つの生理学的測定値のセットを含む、電気的信号を受け取ることと；
前記少なくとも２つの生理学的測定値を、電子的フォーマットであるセンサ出力ガイドラインからの所定の生理学的測定値範囲と比較することと；
前記少なくとも２つの生理学的測定値が前記生理学的測定値範囲を満たさないと判断したことに応答して、データガイドラインに基づいて、前記患者の関心対象の疾患の確率及び重症度を決定するためにデータを取得する超音波撮像手順を特定することと；
前記特定した超音波撮像手順に基づいてスキャンから画像データを取得することと；
前記取得された画像データに基づいて、前記関心対象の疾患の前記確率及び前記重症度を決定することと；
前記確率及び前記重症度と、医療施設のリソースと、イベントガイドラインとに基づいて、前記患者について推奨される一連のアクションを決定することと；
前記確率及び前記重症度と、前記推奨される一連のアクションとをディスプレイに視覚的に提示させることと；
を含む動作を実行するように構成される、システム。
【請求項８】
前記少なくとも１つのコンピュータプロセッサは、前記推奨される一連のアクションに基づいて少なくとも１つの電子デバイスの動作を制御するように構成される、
請求項７に記載のシステム。
【請求項９】
前記少なくとも１つのコンピュータプロセッサは、前記取得された画像データ及び臓器欠陥の画像アトラスに基づいて、前記確率及び前記重症度を更に決定するように構成される、
請求項８に記載のシステム。
【請求項１０】
前記少なくとも１つのコンピュータプロセッサは、生理学的センサデータ、人口統計情報、観察値及び臨床データに基づいて、前記確率及び前記重症度を更に決定するように構成される、
請求項９に記載のシステム。
【請求項１１】
前記推奨される一連のアクションは、前記関心対象の疾患のために、より良い設備の整った別の医療施設に前記患者を移送することを含む、
請求項７乃至１０のいずれか一項に記載のシステム。
【請求項１２】
前記推奨される一連のアクションは、前記患者が移送される前に前記関心対象の疾患の悪化を緩和するために提案される医療を更に含む、
請求項１１に記載のシステム。
【請求項１３】
前記推奨される一連のアクションは、前記医療施設で利用可能なリソースを使用して前記医療施設で前記関心対象の疾患の悪化を緩和するために提案される医療を更に含む、
請求項７乃至１０のいずれか一項に記載のシステム。
【請求項１４】
プロセッサによって実行されると、該プロセッサに、
患者について感知される少なくとも２つの生理学的測定値のセットを含む、電気的信号を受信させ；
前記少なくとも２つの生理学的測定値を、電子的フォーマットであるセンサ出力ガイドラインからの所定の生理学的測定値範囲と比較させ；
前記少なくとも２つの生理学的測定値が前記生理学的測定値範囲を満たさないと判断したことに応答して、前記患者の関心対象の疾患の確率及び重症度を決定するためにデータを取得する超音波撮像手順を特定させ；
前記特定した超音波撮像手順に基づいてスキャンから画像データを取得させ；
前記取得された画像データに基づいて前記関心対象の疾患の前記確率及び前記重症度を決定させ；
前記確率及び前記重症度と、医療施設のリソースと、イベントガイドラインとに基づいて、前記患者について推奨される一連のアクションを決定させ；
前記確率及び前記重症度と、前記推奨される一連のアクションを視覚的に提示させる；
コンピュータ読取可能命令がエンコードされる、非一時的コンピュータ読取可能記憶媒体。
【請求項１５】
前記コンピュータ読取可能命令は更に、前記プロセッサに、
前記推奨される一連のアクションと、前記イベントガイドラインとに基づいて、前記患者のための医療に関連する電子デバイスの動作を制御する制御信号を生成させ；
前記制御信号を用いて前記電子デバイスの動作を制御させる；
請求項１４に記載の非一時的コンピュータ読取可能記憶媒体。
【請求項１６】
前記コンピュータ読取可能命令は更に、前記プロセッサに、
臓器欠陥の画像アトラスを受け取らせ、前記取得された画像データに基づいて前記関心対象の疾患の前記確率及び前記重症度を決定することは、前記画像データ及び前記臓器欠陥の画像アトラスに基づいて前記関心対象の疾患の前記確率及び前記重症度を決定することを含む、
請求項１４に記載の非一時的コンピュータ読取可能記憶媒体。
【請求項１７】
前記コンピュータ読取可能命令は更に、前記プロセッサに、
前記関心対象の疾患の前記重症度及び前記確率の正確性を改善しそうな他のデータを特定させ；
前記他のデータに基づいて前記確率及び前記重症度を更新して、前記関心対象の疾患の更新された確率及び更新された重症度を生成させ；
前記推奨される一連のアクションは、前記更新された確率、前記更新された重症度、前記医療施設の前記リソース及び前記イベントガイドラインに基づいて決定される、
請求項１４に記載の非一時的コンピュータ読取可能記憶媒体。
【請求項１８】
前記関心対象の疾患は、新生児の先天性心疾患であり、
前記感知される少なくとも２つの生理学的測定値は、前記新生児の右足で感知される血中酸素濃度及び前記新生児の左手で感知される血中酸素濃度である、
請求項１４乃至１７のいずれか一項に記載の非一時的コンピュータ読取可能記憶媒体。